(57)【要約】【課題】  記録ヘッドの保守動作が必要な記録装置において、記録開始から終了までに要する時間を短縮することを目的とする。【解決手段】  記録ヘッドの保守動作が必要な記録装置において、インタフェースを介して受信した印字データの内容を解析し、印字品位と用紙種が特定の組み合わせだった場合には保守動作の実行延期を決定する。【選択図】  図４
2007105997.tif 000002
【特許請求の範囲】
【請求項１】
記録ヘッドの保守動作が必要な記録装置において、インタフェースを介して受信した印字データの内容を解析し、印字品位と用紙種が特定の組み合わせだった場合には保守動作の実行を延期することを特徴とする記録装置。
【請求項２】
記録ヘッドの保守動作が必要な記録装置において、記録装置が備えるキーなどにより印字開始が指示された場合には、記録設定を判定し、印字品位と用紙種が特定の組み合わせだった場合には保守動作の実行を延期することを特徴とする記録装置。
【発明の詳細な説明】
【技術分野】
【０００１】
本発明はインクジェット方式のプリンタのように印字品位を維持するために記録ヘッド保守動作を必要とする記録装置に関する。
【背景技術】
【０００２】
従来より、インクジェット記録装置においては、インク滴を吐出する複数のノズルを備えた記録ヘッドと、記録ヘッドと向き合うように配置されたキャップと、を備える構成が一般的である。
【０００３】
このような構成の元で、特許文献１のように記録ヘッドの保守動作タイミングを印刷データより推測される、記録に使用されるインクの種類に基づき決定する構成が開示されている。
【０００４】
印字が行なわれない状況がしばらく継続すると、記録装置は記録ヘッドの保護のために適切なタイミングで記録ヘッドをキャップする。また、キャップはノズルに対して負圧をかけることでノズル内のインクを吸引し、また吸引したインクを吸収体に送るピストン機構に接続されている。
【特許文献１】特開平０９−０１１５０５号公報
【発明の開示】
【発明が解決しようとする課題】
【０００５】
しかしながら、上記従来件の記録装置では記録ヘッドをキャップしているアイドル状態から印刷を開始する場合には記録ヘッドのノズル内のインクが増粘したり、キャップの構成によってはノズル面がキャップ内スポンジを伝って混色しているなどの危険性があり、良好な印字結果を得るために記録動作の前に必ず記録ヘッド保守動作が発生することとなった。このためユーザが印刷を指示してから目的とする記録結果を手にするまでに長く時間がかかった。しかしユーザが出力のレイアウトを確認するために試し刷りを行なう場合など、印字の用途によっては印字結果にさほどの品位は要求されず、出力時間が短縮されることでユーザビリティが向上する場合もある。
【０００６】
そこで、本発明は上記問題点に鑑みてなされたものであり、その目的とするところは、出力時間が優先される印字モードにおいては出力時間を短縮できる記録装置を提供することである。
【課題を解決するための手段】
【０００７】
上記目的を達成するために、本発明にかかる第１の構成は記録ヘッドの保守動作が必要な記録装置において、インタフェースを介して受信した印字データの内容を解析し、印字品位と用紙種が特定の組み合わせだった場合には保守動作の実行延期を決定する記録装置である。
【０００８】
本発明にかかる第２の構成は記録ヘッドの保守動作が必要な記録装置において、記録装置が備えるキーなどにより印字開始が指示された場合には、記録設定を判定し、印字品位と用紙種が特定の組み合わせだった場合には保守動作の実行延期を決定する記録装置である。
【発明の効果】
【０００９】
本発明によれば、記録ヘッドの保守動作が必要な記録装置において、記録開始時に印字データの内容を解析し、印字品位と用紙種が特定の組み合わせだった場合には保守動作の実行延期を決定することで、記録開始から終了までに要する時間を短縮できる。
【発明を実施するための最良の形態】
【００１０】
以下、本発明の実施の形態について図面を参照して説明する。
【実施例１】
【００１１】
本発明の記録装置の第１の実施の形態について説明する。
【００１２】
図１は、本発明の第１の実施の形態であるインクジェット記録装置を装置の斜め上側から表した斜視図である。
【００１３】
図１において、記録ヘッド１はインク滴を吐出する複数のノズルを備える。キャリッジ３は記録ヘッド１を搭載し主走査方向に記録ヘッドを移動させる。キャップ１５は上方に移動可能であり、記録ヘッド１がキャップ１５に正対する位置にある場合は、不図示のモータの助けによりキャップ１５が上方に移動することで記録ヘッドをキャップできる。
【００１４】
なお、このインクジェット記録装置は不図示のＣＰＵ、ＲＯＭ、ＲＡＭ、インタフェース回路、モータおよびモータドライバなどの資源を備え、ＲＯＭに格納されたプログラムに従って動作する。
【００１５】
図２は記録ヘッド、キャップおよびそれに接続されたピストン部の模式図である。なお、図１と共通の部分については同じ番号を付与してある。
【００１６】
図２において、キャップ１５は廃インクチューブ４を介してピストン１７に接続され、キャップ時にピストン１７が右方向に移動することで記録ヘッド１のノズルに負圧をかけ、インクを吸い出すことができる。
【００１７】
ピストン１７は廃インクチューブ６を介して廃インク吸収体７に接続されている。ピストン１７の２つの口には逆止弁が設けられており、ピストン１７が右方向に移動するとキャップ１５に負圧が発生し、キャップ１５上のインクがピストン１７に向かって吸い出される。またキャップ中であれば記録ヘッド１の各ノズルのインクにも負圧をかけることができる。逆に左方向に移動すると、ピストン内の廃インクが廃インクチューブ６を経由して廃インク吸収体７に送られる。
【００１８】
・記録ヘッドの保守動作の手順と効果
図２を参照しながら記録ヘッドの保守動作の一例を示す。
【００１９】
１．キャップ１５を上げキャップ閉状態にする。その状態が長時間継続し記録ヘッド１の各ノズルがキャップ１５内に接し続けた場合、キャップ内のスポンジを通じて漏れ出した他のインクを吸い込んで混色している可能性がある。
【００２０】
２．吸引。ピストン１７が右に動くことで記録ヘッド１の各ノズルに負圧をかけ、混色している可能性のあるノズル内のインクを吸い出す。ノズル毎の条件が一定でなく、そのままでは均一なインク吐出が実行できない場合がある。
【００２１】
３．キャップ１５を下げ、キャップ開状態にする。
【００２２】
４．記録ヘッド１の全ノズルについてキャップ１５内に吐出を行ない、ノズル内のインクを一定量排出する。全ノズルで均一にインクが吐出できる条件を整える。
【００２３】
５．ピストン１７をさらに右に動かすことでキャップ内インク排出。
【００２４】
６．ピストン１７を左に動かすと、ピストン内にたまったインクが廃インク吸収体に送られる。
【００２５】
１〜６を繰り返すことで記録ヘッドをさらに良い状態にすることもできる。
以上のようにして記録ヘッドの混色を排除し、各ノズルの状態を整え、キャップ内に廃インクがない状態を作り出す。
【００２６】
・印字コマンド
図３は印字コマンドの例である。
【００２７】
印字コマンドは印字モード移行コマンド、設定コマンド部、印字データ部、印字モード終了コマンドからなり、記録装置に対してこの順に送信される。また、設定コマンド部、印字データ部はそれぞれ複数のコマンドから構成されている。
【００２８】
記録装置は印字モード移行コマンドを受け付けると印字準備動作を開始する。記録ヘッドがキャップ中であればここでキャップを開く。
【００２９】
設定コマンド部には印字のための各種設定を行なうコマンドが含まれる。本実施例にかかるプリンタはこれらのうち「用紙設定」コマンドと「印字モード」コマンドを解析するとただちに判定を行なう。本実施例では「用紙設定」コマンドが「普通紙」でかつ「印字モード」コマンドが「高速」であった場合には記録ヘッドの保守動作を抑制し、それ以外の場合にはキャップ開直後であれば通常どおり印字に先立って記録ヘッドの保守動作を実行する。
【００３０】
印字データ部では印字データコマンドにより記録装置の記録ヘッドの各ノズルに対応したラスタデータが送信される。各ノズル列に対して同じ印字データ設定コマンドが繰り返し送信されると、記録装置は該当するノズル列の続くノズルの出力データとして順次処理する。データセット終了コマンドが送信されると記録装置は必要に応じて給紙を実行し、それまでに設定されたデータに従ってインクの吐出動作を実行し、設定コマンドであらかじめ定められた長さだけ用紙を送る。続くデータが印字データ設定コマンドであれば同様の処理を繰り返す。
【００３１】
印字モード終了コマンドを受け付けるとプリンタは用紙を排紙し、アイドル状態に移行する。
【００３２】
・動作フロー
図４は本実施例にかかる記録装置の一連の動作フローを示す。
２１でインタフェース回路がホストＰＣから図３で示した印字データを受信する。
【００３３】
２２で記録装置は印字モード移行コマンドが含まれているかどうかを解析する。
【００３４】
印字モード移行コマンドが含まれていたら２３に進みキャップ開。
【００３５】
同コマンドが含まれていなければ終了する。
【００３６】
２３でキャップ開が実行されると続いて２４で用紙種と印字品位を判定する。用紙設定が「普通紙」で、かつ印字モードが「高速」の場合は速度優先と判断し、キャップ開に伴う記録ヘッドの保守動作を行なわず、直ちに２６に進み印字コマンドを解析し印字動作を実行する。
【００３７】
２４で用紙設定と印字モードが特定の値でないと判断された場合は２５に進み、記録ヘッドの保守動作を実行してから２６に進み印字動作を実行する。
【実施例２】
【００３８】
前述した実施形態では、インタフェースより印字データを受信した際にその内容を解析することで判定を行なったが、ＭＦＰ（多機能プリンタ）のように記録装置本体がキーやＬＣＤなどの入出力機能を備え、オペレータはその入出力機能により印刷モードを設定し、印字データとしてはメモリカードやスキャナ部、または電話回線よりＦＡＸデータとして入力され、かつそれ自体が印刷モード情報を持たない各種データを入力可能な記録装置も存在する。
【００３９】
ＭＦＰにおいても、例えば写真データを普通紙にインデックス印刷する場合や、ＦＡＸデータを内容確認のために割り付け印刷する場合のように印字品位が求められない場合がある。
【００４０】
そのような場合にも、印刷実行指示をトリガとしてキャップを開け、キーなどの手段で入力された印刷モードを判定し、特定の印刷モードであれば記録ヘッドの保守動作を抑制することで、前述したものと同じ効果を得ることができる。
【００４１】
以上説明したように、本実施形態によれば、印字品位を求められない印字データに対しては記録ヘッドの保守動作を行なわずただちに印字を開始でき、印刷時間の短縮が可能になった。
【図面の簡単な説明】
【００４２】
【図１】本発明の第１の実施の形態であるインクジェット記録装置を装置の斜め上から見た斜視図である。
【図２】本発明の第１の実施の形態における、キャップ部およびピストン部の模式的断面図である。
【図３】本発明の第１の実施の形態における、印字コマンドの例である。
【図４】本発明の第１の実施の形態における、制御の流れを示すフローチャートである。
【符号の説明】
【００４３】
１，１ＢＫ，１Ｙ，１Ｍ，１Ｃ  記録ヘッド
２，２ＢＫ，２Ｙ，２Ｍ，２Ｃ  インクカートリッジ
３  キャリッジ
６  タイミングベルト
９  キャリッジ駆動モータ
１０  記録シート
１１  送給ローラ
１３  排出ローラ
１４  シート送りモータ
１５，１５ＢＫ，１５Ｙ，１５Ｍ，１５Ｃ  キャップ部材
１６  ワイピング部材
１７  吸引ポンプ
１８  回復系モータ
【図１】
2007105997.tif 000003
【図２】
2007105997.tif 000004
【図３】
2007105997.tif 000005
【図４】
2007105997.tif 000006